(57)【要約】【課題】ＯＡ機器及び設備装置の無駄な消費電力を削減し、ビル全体、フロア、居室等の消費電力削減を可能とする。【解決手段】複数のＯＡ機器と、このＯＡ機器が設置された場所に備えられた設備装置とをネットワークで接続し、このＯＡ機器はネットワークを介して設備装置の動作状況を監視する設備監視手段を備え、設備装置はネットワークを介してＯＡ機器の動作状態を監視するＯＡ機器監視手段を備え、ＯＡ機器は設備監視手段の結果により、自ら消費電力を制御する省エネ手段を備え、設備装置はＯＡ機器監視手段の結果により、自ら消費電力を制御する省エネ手段と、を備えている。【選択図】図１
2007221942.tif 000002
【特許請求の範囲】
【請求項１】
ネットワークに接続された複数の機器と、前記ネットワークに接続され前記機器の設置場所に備えられた設備装置とで構成された電力監視ネットワークシステムであって、
前記機器は前記設備装置の動作状況を監視する設備監視手段を、前記設備装置は前記機器の動作状態を監視する機器監視手段を備え、
前記機器は前記設備監視手段の監視結果に基づき、消費電力を制御する機器省エネ手段を、前記設備装置は前記機器監視手段の監視結果に基づき、消費電力を制御する設備装置省エネ手段と、を備えたことを特徴とする電力監視ネットワークシステム。
【請求項２】
前記設備装置が照明の管理を行う照明管理装置であり、
前記機器は通常時より消費電力を削減した省エネモードまたは主電源をＯＦＦする電源ＯＦＦモードを備え、
前記照明管理装置は照明を消灯する消灯手段と、前記機器の省エネモードまたは電源ＯＦＦモードを検知する検知手段とを備え、
前記照明管理装置は、前記機器の省エネモードまたは電源ＯＦＦモードを検知すると、照明を消灯する制御を行うことを特徴とする請求項１に記載の電力監視ネットワークシステム。
【請求項３】
前記設備装置が空調設備の管理を行う空調管理装置であり、
前記機器は通常時より消費電力を削減した省エネモードまたは主電源をＯＦＦする電源ＯＦＦモードを備え、
前記空調管理装置は、空調設備の運転停止または温度設定を変える制御手段と、前記機器の省エネモードまたは電源ＯＦＦモードを検知する検知手段とを備え、
前記空調管理装置は、前記機器の省エネモードまたは電源ＯＦＦモードを検知すると、空調設備の運転停止または温度設定を変えることを特徴とする請求項１に記載の電力監視ネットワークシステム。
【請求項４】
前記設備装置が照明の管理を行う照明管理装置と、空調設備の管理を行う空調管理装置であり、
前記空調管理装置は、前記照明管理装置の照明の消灯を検知する検知手段と、前記空調設備の運転停止または温度設定を変更する温度制御手段を備え、
前記空調管理装置は、前記検知手段が前記照明管理装置の消灯を検知すると、前記空調設備の運転停止または温度設定を変更することを特徴とする請求項１に記載の電力監視ネットワークシステム。
【請求項５】
前記設備装置が照明の管理を行う照明管理装置と、空調設備の管理を行う空調管理装置であり、
前記照明管理装置は、前記空調設備の運転停止を検知する検知手段と、照明を消灯する消灯手段を備え、
前記照明管理装置は、前記検知手段が前記空調設備の運転停止を検知すると、照明を消灯することを特徴とする請求項１に記載の電力監視ネットワークシステム。
【請求項６】
前記設備装置が空調設備の管理を行う空調管理装置であり、
前記機器は、通常時より消費電力を削減した省エネモードまたは主電源をＯＦＦする電源ＯＦＦモードへ移行する移行手段を備え、
前記空調管理装置は、前記空調設備の運転停止または温度設定を変える変更手段を備え、
前記機器は、前記空調設備の停止を検知する検知手段を備え、
前記機器は、前記検知手段が前記空調設備の停止を検知すると、前記移行手段により省エネモードへ移行または主電源ＯＦＦモードへ移行することを特徴とする請求項１に記載の電力監視ネットワークシステム。
【請求項７】
前記設備装置が照明の管理を行う照明管理装置であり、
前記機器は、通常時より消費電力を削減した省エネモードまたは主電源をＯＦＦする電源ＯＦＦモードへ移行する移行手段と、前記照明管理装置の照明の消灯を検知する検知手段とを備え、
前記照明管理装置は、照明を消灯する消灯手段を備え、
前記機器は前記検知手段が前記照明の消灯を検知すると、前記移行手段により省エネモードへ移行または主電源ＯＦＦモードへ移行することを特徴とする請求項１記載の電力監視ネットワークシステム。
【請求項８】
前記機器は、主電源ＯＦＦ時に、前記設備装置に主電源ＯＦＦ信号を送信する手段を備えたことを特徴とする請求項１乃至請求項７のいずれか１項に記載の電力監視ネットワークシステム。
【請求項９】
前記設備装置が照明の管理を行う照明管理装置と、空調設備の管理を行う空調管理装置であり、
前記空調管理装置は、運転停止を実施する時に、前記ＯＡ機器及び前記照明管理装置に、運転停止情報を送信する手段を備えたことを特徴とする請求項１乃至請求項８のいずれか１項に記載の電力監視ネットワークシステム。
【請求項１０】
前記設備装置が照明の管理を行う照明管理装置と、空調設備の管理を行う空調管理装置であり、
前記照明管理装置は、照明を消灯する時に、前記機器及び前記空調管理装置に、照明を消灯する情報を送信する手段を備えたことを特徴とする請求項１、請求項４、請求項５または請求項８に記載の電力監視ネットワークシステム。
【請求項１１】
前記機器は、前記照明管理装置からの照明消灯信号または前記空調管理装置からの空調停止信号を受信すると警告表示を行う警告表示手段を備えたことを特徴とする請求項９または請求項１０に記載の電力監視ネットワークシステム。
【請求項１２】
前記機器は、前記照明管理装置の照明状態を検知する光学センサー、または前記空調管理装置の温度を検知する温度検知手段の少なくとも一方を備えたことを特徴とする請求項１乃至請求項１１のいずれか１項に記載の電力監視ネットワークシステム。
【請求項１３】
前記照明管理装置は、前記機器の省エネ状態を検知する検知手段また空調管理装置の温度を検知する温度検知手段の少なくとも一方を備えたことを特徴とする、請求項１、請求項２、請求項４、請求項５、請求項７、請求項８、請求項９、請求項１０または請求項１１に記載の電力監視ネットワークシステム。
【請求項１４】
前記空調管理装置は、前記照明管理装置の照明状態を検知する光学センサーまたは前記機器の省エネ状態を検知する検知手段の少なくとも一方を備えたことを特徴とする請求項１、請求項３、請求項４、請求項５、請求項６、請求項８、請求項９、請求項１０、請求項１１、請求項１２または請求項１３に記載の電力監視ネットワークシステム。
【請求項１５】
前記機器及び設備装置が設置された場所の温度検知手段または明るさを検知する光学センサーのいずれかを各１個としたことを特徴とする請求項１２乃至請求項１４のいずれか１項に記載の電力監視ネットワークシステム。
【請求項１６】
前記機器を画像形成装置としたことを特徴とする請求項１乃至請求項１５のいずれか１項に記載の電力監視ネットワークシステム。
【請求項１７】
通常時よりも電力削減した省エネモードまたは主電源をＯＦＦする手段を備えた画像形成装置において、
前記画像形成装置が設置された設置場所の明るさを検知する光検知センサーまたは室温を検知する温度センサーのいずれかを備え、
前記各センサー出力結果に基づき、省エネモードまたは主電源をＯＦＦするモードに移行する移行手段手段と、この移行手段により省エネモードまたは主電源ＯＦＦするモードに移行したとき、移行信号を外部装置に出力する出力手段とをさらに備えたことを特徴とする画像形成装置。
【請求項１８】
ネットワークに接続された複数の機器と、前記ネットワークに接続され、前記機器の設置場所に備えられた設備装置をネットワークを介して監視制御する電力監視制御装置であって、
前記電力監視制御装置は、前記設備装置及び前記機器の動作状況を監視する監視手段を備え、
前記監視手段の結果に基づき、前記機器及び／または前記設備装置の電力削減を行う電力削減手段と、を備えたことを特徴とする電力監視制御装置。
【請求項１９】
ネットワークに接続された複数の機器と、前記ネットワークに接続され前記機器の設置場所に備えられた設備装置と、前記機器と前記設備装置とをネットワークを介して監視制御する電力監視制御装置とで構成される電力監視ネットワークシステムであって、
前記電力監視制御装置は、前記設備装置及び機器の動作状況を監視する監視手段を備え、
前記設備装置及び機器は、外部からの指示を受領する受領手段と、この受領手段で受領した指示に基づき通常時より電力削減した省エネモードへ移行する移行手段を備え、
前記電力監視制御装置は前記監視手段の結果に基づき、前記機器及び／または前記設備装置の移行手段により、電力削減を行う省エネモードへ移行させることを特徴とする電力監視ネットワークシステム。
【請求項２０】
前記設備装置が照明装置であり、
前記機器が通常時より消費電力を削減した省エネモードまたは主電源をＯＦＦする電源ＯＦＦモードを備え、
前記電力監視制御装置は、前記照明装置の消灯を検知する検知手段を備え、
前記電力監視制御装置は、前記検知手段が前記照明装置の消灯を検知すると、前記機器を省エネモードまたは電源ＯＦＦモードに設定することを特徴とする請求項１９に記載の電力監視ネットワークシステム。
【請求項２１】
前記設備装置が空調装置であり、
前記機器は、通常時より消費電力を削減した省エネモードまたは電源をＯＦＦする電源ＯＦＦモードを備え、
前記電力監視制御装置は、前記空調装置の空調停止を検知する検知手段を備え、
前記電力監視制御装置は前記検知手段が前記空調停止を検知すると、前記機器を省エネモードまたは、電源ＯＦＦモードの設定することを特徴とする請求項１９に記載の電力監視ネットワークシステム。
【請求項２２】
前記設備装置が空調装置であり、
前記空調装置は、運転停止または温度設定を変更する温度制御手段を備え、
前記電力監視制御装置は、照明装置の照明の消灯を検知する検知手段を備え、
前記電力監視制御装置は、前記検知手段が前記照明装置の消灯を検知すると、温度制御手段が前記空調装置の運転停止または温度設定を変更することを特徴とする請求項１９に記載の電力監視ネットワークシステム。
【請求項２３】
前記設備装置が照明装置と空調装置であり、
前記照明装置は、照明を消灯する消灯手段を備え、
前記電力監視制御装置は、前記空調装置の空調停止を検知する検知手段を備え、
前記電力監視制御装置は、前記検知手段が前記空調停止を検知すると、前記照明装置の消灯を行うことを特徴とする請求項１９に記載の電力監視ネットワークシステム。
【請求項２４】
前記設備装置が照明装置または空調装置であり、
前記機器は、通常時より消費電力を削減した省エネモードまたは主電源をＯＦＦする電源ＯＦＦモードを備え、
前記空調装置は運転停止または温度設定を変える温度制御手段を備え、
前記照明装置は、照明を消灯する消灯手段を備え、
前記電力監視制御装置は、前記ネットワーク系内で全ての機器の省エネモード移行または電源ＯＦＦモードを検知すると、前記照明装置の消灯または前記空調装置の運転停止または温度設定を変えることを特徴とする請求項１９乃至請求項２３のいずれか１項に記載の電力監視ネットワークシステム。
【請求項２５】
前記機器を画像形成装置であり、
前記画像形成装置の電源ＯＦＦモードの検出は、前記電力監視制御装置からの信号に対する返答がないこととしたことを特徴とする請求項１９乃至請求項２４のいずれか１項に記載の電力監視ネットワークシステム。
【請求項２６】
前記機器の設置場所の照明の明るさを検知する輝度センサーを備え、
前記輝度センサーを前記ネットワークに接続し、
前記電力監視制御装置は前記ネットワークを介して前記輝度センサーを監視することにより前記照明装置の消灯を検知することを特徴とする請求項１９乃至請求項２５のいずれか１項に記載の電力監視ネットワークシステム。
【請求項２７】
前記機器の設置場所に温度を検知する温度センサーを備え、
前記温度センサーを前記ネットワークに接続し、前記電力監視制御装置は前記ネットワークを介して前記温度センサーを監視することにより前記空調装置の停止を検知することを特徴とする請求項１９乃至請求項２６のいずれか１項に記載の電力監視ネットワークシステム。
【請求項２８】
前記機器が設置された場所の明るさを検知する輝度センサーを前記ＯＡ機器が備え、
前記照明装置の消灯の検知を前記機器に備えられた輝度センサーで行うことを特徴とする請求項１９乃至請求項２７のいずれか１項に記載の電力監視ネットワークシステム。
【請求項２９】
前記機器が設置された場所の温度を検知する温度センサーを前記機器が備え、
前記空調装置の運転停止の検知を、前記ＯＡ機器に備えられた温度センサーで行うことを特徴とする請求項１９乃至請求項２８のいずれか１項に記載の電力監視ネットワークシステム。
【請求項３０】
前記機器及び設備装置が設置された場所の温度検出及び明るさ検出を、請求項２６乃至請求項２９に記載のセンサーのいずれか、各１個としたことを特徴とする請求項１９乃至請求項２８のいずれか１項に記載の電力監視ネットワークシステム。
【請求項３１】
ネットワークに接続された複数の機器と、前記ネットワークに接続され、前記機器の設置場所に備えられた設備装置をネットワークを介して、監視制御する電力監視制御装置の制御方法であり、
前記設備装置及びＯＡ機器の動作状況を監視する監視ステップと、
前記監視ステップの結果により、前記ＯＡ機器及び／または前記設備装置の電力制御を行う電力制御ステップと、を備えたことを特徴とする電力監視制御装置の制御方法。
【請求項３２】
前記機器を画像形成装置であり、
前記画像形成装置の電源ＯＦＦモードの検出は、前記電力監視制御装置からの信号に対する回答がないこととしたことを特徴とする請求項１９に記載の電力監視制御装置。
【請求項３３】
前記機器の設置場所に照明の明るさを検知する輝度センサーを備え、
前記輝度センサーを前記ネットワークに接続し、前記電力監視制御装置は前記ネットワークを介して前記輝度センサーを監視することにより、前記照明装置の消灯を検知することを特徴とする請求項１９または請求項３２のいずれか１項に記載の電力監視制御装置。
【請求項３４】
前記機器の設置場所に温度を検知する温度センサーを備え、
前記温度センサーを前記ネットワークに接続し、前記電力監視制御装置は前記ネットワークを介して前記温度センサーを監視することにより、前記空調装置の停止を検知することを特徴とする請求項１９、請求項３２または請求項３３に記載の電力監視制御装置。
【請求項３５】
前記機器及び設備装置に、電力削減するための動作を実施する内容を
送信する送信手段を備えたことを特徴とする請求項１９、請求項３２、請求項３３または請求項３４のいずれか１項に記載の電力監視制御装置。
【発明の詳細な説明】
【技術分野】
【０００１】
本発明は、ネットワークに接続された機器における消費電力の管理を行う電力監視ネットワークシステム及び電力監視ネットワークシステムの制御方法に関し、特に、所定の最大使用電力を超えないように機器の動作を制限する制御に関する。
【背景技術】
【０００２】
近年、例えば、二酸化炭素（ＣＯ２）やメタンガス等の大気中に存在する温室効果ガスの増大による地球の温暖化が懸念されている。
この地球の温暖化は、自然の生態系等に悪影響を及ぼすおそれがあることから、大気中の温室効果ガス濃度の安定化が世界的に求められており、京都議定書が平成１７年２月１６日に発効された。
日本においても改正地球温暖化対策の推進に関する法律が施行され、地球の温暖化の原因となる二酸化炭素を排出する電力の削減が強く求められている。
また、電力会社から施設に供給される電力（上限値）の制限や、電力使用料の経費面の制限からも電力使用量の抑制が求められている。
【０００３】
このような状況から、機器単体の電力削減、ネットワークに接続された機器のネットワークを介しての電力削減、または施設全体の電力削減も求められている。
【特許文献１】特開２０００−１４１８３１公報
【特許文献２】特許３３５８５６７号公報
【特許文献３】特開２００２−１４２３８５公報
【０００４】
特許文献１には、プリンタの制御部が一定周期で、ネットワーク上のパソコンに対して、応答要求を行い、少なくとも一台のパソコンから応答があった場合は、消費電力を考慮しない通常モード設定を行い、いずれかのパソコンからも応答がない場合は、消費電力をセーブするモードの設定または自装置の電源をオフすることが開示されている。
特許文献２には、ネットワークプリンタを共有する少なくとも１つ以上のネットワーク機器によってネットワーク上で共有された少なくとも１つ以上のネットワークプリンタの電源を自動的に切断する自動電源切断装置として、電源切断対象となるネットワークプリンタを使用している全てのネットワーク機器の業務が終了したか否かを監視し、当該全てのネットワーク機器の業務が終了されたことを検出した場合には、ネットワークプリンタの電源部のＯＦＦ制御をすることが開示されている。
【０００５】
特許文献３には、ネットワークに接続された機器の電力消費を管理することにより、システム全体の安定した稼動が可能なネットワークシステムとして、特定のネットワークに接続された機器の電力消費量を管理することによって、システムの安定稼動を図るサーバ装置が提案されている。
詳しくは、ネットワーク接続された機器が動作を開始する前に、その動作時の消費電力量と予め設定された許容消費電力量との比較を行い、その比較結果が所定の条件を満たすまで機器動作の開始を行わないように動作を制限する技術が提案されている。
【発明の開示】
【発明が解決しようとする課題】
【０００６】
しかし、上記の特許文献１または特許文献２に記載の技術ように、全てのＯＡ機器が、制御する機器と、制御される機器との関係にあるとは限らない。ネットワークに接続された単体のパソコン、ファクシミリ装置またはアナログ複写機等も存在する。
また、上記特許文献３に記載のように、ネットワークに接続された機器が動作を開始しようとした時に、ネットワーク全体の消費電力量が予め定められた許容消費電力量を超えるような場合は、所定の条件が満たされるまで動作の開始を行わない、または機器が開始しようとしている動作を、より少ない消費電力量で実行が可能であれば、実行することにより、電力の抑制または削減することも可能である。しかし、この場合、開始直前に機器が使用できないという問題が発生する。
一般的なビルのフロア、居室等を考えた場合、上記特許文献１または特許文献２に記載の構成の機器のみとは限らない。前記したように、単体のパソコン、ファクシミリ装置またはアナログ複写機等もあり、且つ、この機器が設置された場所には照明装置及び空調装置、場合によっては入退出管理装置が設置されている場合もある。この全ての機器及び装置の消費電力削減が望まれている。
また、会議室、ホール等の特定時間のみ使用される場所の無駄な消費電力の削減が可能であれば、上記先行技術の特許文献３に記載のように、使用開始直前に、ネットワークに接続された機器全体の消費電力量が予め定められた許容消費電力量を超え、機器が使用できないことの回避も可能である。
【０００７】
照明装置の照明は、入出者が照明を点灯し、退出者が手動により、照明を消灯するのが一般的である。この際、共有の設備であることから、消灯してよいか不明の場合もあるし、消し忘れも発生する。
また、空調装置の場合は、予め設定された日時と予め設定された温度により運転を開始し、予め設定された時間になると運転を停止するよう、自動設定されている。しかし、会議室やホールのように使用される時間が固定されてない場合や、時間外の会議室の使用、居室等の予め設定された時間以降の使用は、手動により運転を開始し、手動により空調を停止しなければならない。この際、共有の設備であることもあり、空調の停止を忘れることが起こり得る。
一方、パソコン等は個人持ちが多く、このパソコンの電源切り忘れを見つけることは、困難である。また、画像形成装置、プリンタ、ファクシミリ装置等は共有している場合が多くあり、勝手に電源をＯＦＦすると、他の使用者に迷惑を掛ける場合もある。
【０００８】
そこで、本発明の第１の目的は、ネットワークに接続されたＯＡ機器及び設備装置がネットワークを介して相互に監視し、少なくてもいずれかのＯＡ機器または設備装置が電力削減モードに移行すると、連鎖的に、自ら消費電力を削減した状態に移行することにより、ビル、フロア、または居室等に備えられたＯＡ機器及び設備装置全体の無駄な消費電力削減を可能とした電力監視ネットワークシステムを提供することである。
また、本発明の第２の目的は、会議室、ホール等の特定時間のみ使用される場所の無駄な消費電力の削減を可能とし、ネットワークに接続された機器全体の消費電力量を抑制し、予め定められた許容消費電力量を超えるのを防止する電力監視ネットワークシステムを提供することである。
さらに、本発明の第３の目的は、パソコン、プリンタ、画像形成装置等のＯＡ機器及び照明装置、空調装置等の設備装置が必要ない時に全てが稼動していることは極めて少ないとの前提から、前記複数のＯＡ機器と、このＯＡ機器の設置場所に備えられた設備装置とをネットワークで接続し、このＯＡ機器と前記設備装置の動作状況を前記ネットワークを介して電力監視制御装置で監視し、前記ＯＡ機器または設備装置のいずれかが、稼動状態にない場合は、稼動状態にある前記ＯＡ機器または設備装置の電力を削減した電力削減モードに移行することにより、ビル、フロア、または居室等に備えられたＯＡ機器及び設備装置全体の消費電力削減を可能とした電力監視制御装置または、電力監視ネットワークシステムを提供することである。
【課題を解決するための手段】
【０００９】
請求項１記載の発明では、ネットワークに接続された複数の機器と、前記ネットワークに接続され前記機器の設置場所に備えられた設備装置とで構成された電力監視ネットワークシステムであって、前記機器は前記設備装置の動作状況を監視する設備監視手段を、前記設備装置は前記機器の動作状態を監視する機器監視手段を備え、前記機器は前記設備監視手段の監視結果に基づき、消費電力を制御する機器省エネ手段を、前記設備装置は前記機器監視手段の監視結果に基づき、消費電力を制御する設備装置省エネ手段と、を備えたことを特徴とする。
請求項２記載の発明では、請求項１に記載の発明において、前記設備装置が照明の管理を行う照明管理装置であり、前記機器は通常時より消費電力を削減した省エネモードまたは主電源をＯＦＦする電源ＯＦＦモードを備え、前記照明管理装置は照明を消灯する消灯手段と、前記機器の省エネモードまたは電源ＯＦＦモードを検知する検知手段とを備え、前記照明管理装置は、前記機器の省エネモードまたは電源ＯＦＦモードを検知すると、照明を消灯する制御を行うことを特徴とする。
請求項３記載の発明では、請求項１に記載の発明において、前記設備装置が空調設備の管理を行う空調管理装置であり、前記機器は通常時より消費電力を削減した省エネモードまたは主電源をＯＦＦする電源ＯＦＦモードを備え、前記空調管理装置は、空調設備の運転停止または温度設定を変える制御手段と、前記機器の省エネモードまたは電源ＯＦＦモードを検知する検知手段とを備え、前記空調管理装置は、前記機器の省エネモードまたは電源ＯＦＦモードを検知すると、空調設備の運転停止または温度設定を変えることを特徴とする。
【００１０】
請求項４記載の発明では、請求項１に記載の発明において、前記設備装置が照明の管理を行う照明管理装置と、空調設備の管理を行う空調管理装置であり、前記空調管理装置は、前記照明管理装置の照明の消灯を検知する検知手段と、前記空調設備の運転停止または温度設定を変更する温度制御手段を備え、前記空調管理装置は、前記検知手段が前記照明管理装置の消灯を検知すると、前記空調設備の運転停止または温度設定を変更することを特徴とする。
請求項５記載の発明では、請求項１に記載の発明において、前記設備装置が照明の管理を行う照明管理装置と、空調設備の管理を行う空調管理装置であり、前記照明管理装置は、前記空調設備の運転停止を検知する検知手段と、照明を消灯する消灯手段を備え、前記照明管理装置は、前記検知手段が前記空調設備の運転停止を検知すると、照明を消灯することを特徴とする。
請求項６記載の発明では、請求項１に記載の発明において、前記設備装置が空調設備の管理を行う空調管理装置であり、前記機器は、通常時より消費電力を削減した省エネモードまたは主電源をＯＦＦする電源ＯＦＦモードへ移行する移行手段を備え、前記空調管理装置は、前記空調設備の運転停止または温度設定を変える変更手段を備え、前記機器は、前記空調設備の停止を検知する検知手段を備え、前記機器は、前記検知手段が前記空調設備の停止を検知すると、前記移行手段により省エネモードへ移行または主電源ＯＦＦモードへ移行することを特徴とする。
請求項７記載の発明では、請求項１に記載の発明において、前記設備装置が照明の管理を行う照明管理装置であり、前記機器は、通常時より消費電力を削減した省エネモードまたは主電源をＯＦＦする電源ＯＦＦモードへ移行する移行手段と、前記照明管理装置の照明の消灯を検知する検知手段とを備え、前記照明管理装置は、照明を消灯する消灯手段を備え、前記機器は前記検知手段が前記照明の消灯を検知すると、前記移行手段により省エネモードへ移行または主電源ＯＦＦモードへ移行することを特徴とする。
【００１１】
請求項８記載の発明では、請求項１乃至請求項７のいずれか１項に記載の発明において、前記機器は、主電源ＯＦＦ時に、前記設備装置に主電源ＯＦＦ信号を送信する手段を備えたことを特徴とする。
請求項９記載の発明では、請求項１乃至請求項８のいずれか１項に記載の発明において、前記設備装置が照明の管理を行う照明管理装置と、空調設備の管理を行う空調管理装置であり、前記空調管理装置は、運転停止を実施する時に、前記ＯＡ機器及び前記照明管理装置に、運転停止情報を送信する手段を備えたことを特徴とする。
請求項１０記載の発明では、請求項１、請求項４、請求項５または請求項８に記載の発明において、前記設備装置が照明の管理を行う照明管理装置と、空調設備の管理を行う空調管理装置であり、前記照明管理装置は、照明を消灯する時に、前記機器及び前記空調管理装置に、照明を消灯する情報を送信する手段を備えたことを特徴とする。
請求項１１記載の発明では、請求項９または請求項１０に記載の発明において、前記機器は、前記照明管理装置からの照明消灯信号または前記空調管理装置からの空調停止信号を受信すると警告表示を行う警告表示手段を備えたことを特徴とする。
請求項１２記載の発明では、請求項１乃至請求項１１のいずれか１項に記載の発明において、前記機器は、前記照明管理装置の照明状態を検知する光学センサー、または前記空調管理装置の温度を検知する温度検知手段の少なくとも一方を備えたことを特徴とする。
【００１２】
請求項１３記載の発明では、請求項１、請求項２、請求項４、請求項５、請求項７、請求項８、請求項９、請求項１０または請求項１１に記載の発明おいて、前記照明管理装置は、前記機器の省エネ状態を検知する検知手段また空調管理装置の温度を検知する温度検知手段の少なくとも一方を備えたことを特徴とする。
請求項１４記載の発明では、請求項１、請求項３、請求項４、請求項５、請求項６、請求項８、請求項９、請求項１０、請求項１１、請求項１２または請求項１３に記載の発明において、前記空調管理装置は、前記照明管理装置の照明状態を検知する光学センサーまたは前記機器の省エネ状態を検知する検知手段の少なくとも一方を備えたことを特徴とする。
請求項１５記載の発明では、請求項１２乃至請求項１４のいずれか１項に記載の発明において、前記機器及び設備装置が設置された場所の温度検知手段または明るさを検知する光学センサーのいずれかを各１個としたことを特徴とする。
請求項１６記載の発明では、請求項１乃至請求項１５のいずれか１項に記載の発明において、前記機器を画像形成装置としたことを特徴とする。
【００１３】
請求項１７記載の発明では、通常時よりも電力削減した省エネモードまたは主電源をＯＦＦする手段を備えた画像形成装置において、前記画像形成装置が設置された設置場所の明るさを検知する光検知センサーまたは室温を検知する温度センサーのいずれかを備え、
前記各センサー出力結果に基づき、省エネモードまたは主電源をＯＦＦするモードに移行する移行手段手段と、この移行手段により省エネモードまたは主電源ＯＦＦするモードに移行したとき、移行信号を外部装置に出力する出力手段とをさらに備えたことを特徴とする。
請求項１８記載の発明では、ネットワークに接続された複数の機器と、前記ネットワークに接続され、前記機器の設置場所に備えられた設備装置をネットワークを介して監視制御する電力監視制御装置であって、前記電力監視制御装置は、前記設備装置及び前記機器の動作状況を監視する監視手段を備え、前記監視手段の結果に基づき、前記機器及び／または前記設備装置の電力削減を行う電力削減手段と、を備えたことを特徴とする。
請求項１９記載の発明では、ネットワークに接続された複数の機器と、前記ネットワークに接続され前記機器の設置場所に備えられた設備装置と、前記機器と前記設備装置とをネットワークを介して監視制御する電力監視制御装置とで構成される電力監視ネットワークシステムであって、前記電力監視制御装置は、前記設備装置及び機器の動作状況を監視する監視手段を備え、前記設備装置及び機器は、外部からの指示を受領する受領手段と、この受領手段で受領した指示に基づき通常時より電力削減した省エネモードへ移行する移行手段を備え、前記電力監視制御装置は前記監視手段の結果に基づき、前記機器及び／または前記設備装置の移行手段により、電力削減を行う省エネモードへ移行させることを特徴とする。
請求項２０記載の発明では、請求項１９記載の発明において、前記設備装置が照明装置であり、前記機器が通常時より消費電力を削減した省エネモードまたは主電源をＯＦＦする電源ＯＦＦモードを備え、前記電力監視制御装置は、前記照明装置の消灯を検知する検知手段を備え、前記電力監視制御装置は、前記検知手段が前記照明装置の消灯を検知すると、前記機器を省エネモードまたは電源ＯＦＦモードに設定することを特徴とする。
【００１４】
請求項２１記載の発明では、請求項１９記載の発明において、前記設備装置が空調装置であり、前記機器は、通常時より消費電力を削減した省エネモードまたは電源をＯＦＦする電源ＯＦＦモードを備え、前記電力監視制御装置は、前記空調装置の空調停止を検知する検知手段を備え、前記電力監視制御装置は前記検知手段が前記空調停止を検知すると、前記機器を省エネモードまたは、電源ＯＦＦモードの設定することを特徴とする。
請求項２２記載の発明では、請求項１９記載の発明において、前記設備装置が空調装置であり、前記空調装置は、運転停止または温度設定を変更する温度制御手段を備え、前記電力監視制御装置は、照明装置の照明の消灯を検知する検知手段を備え、前記電力監視制御装置は、前記検知手段が前記照明装置の消灯を検知すると、温度制御手段が前記空調装置の運転停止または温度設定を変更することを特徴とする。
請求項２３記載の発明では、請求項１９記載の発明において、前記設備装置が照明装置と空調装置であり、前記照明装置は、照明を消灯する消灯手段を備え、前記電力監視制御装置は、前記空調装置の空調停止を検知する検知手段を備え、前記電力監視制御装置は、前記検知手段が前記空調停止を検知すると、前記照明装置の消灯を行うことを特徴とする。
【００１５】
請求項２４記載の発明では、請求項１９乃至請求項２３のいずれか１項に記載の発明おいて、前記設備装置が照明装置または空調装置であり、前記機器は、通常時より消費電力を削減した省エネモードまたは主電源をＯＦＦする電源ＯＦＦモードを備え、前記空調装置は運転停止または温度設定を変える温度制御手段を備え、前記照明装置は、照明を消灯する消灯手段を備え、前記電力監視制御装置は、前記ネットワーク系内で全ての機器の省エネモード移行または電源ＯＦＦモードを検知すると、前記照明装置の消灯または前記空調装置の運転停止または温度設定を変えることを特徴とする。
請求項２５記載の発明では、請求項１９乃至請求項２４のいずれか１項に記載の発明おいて、前記機器を画像形成装置であり、前記画像形成装置の電源ＯＦＦモードの検出は、前記電力監視制御装置からの信号に対する返答がないこととしたことを特徴とする。
請求項２６記載の発明では、請求項１９乃至請求項２５のいずれか１項に記載の発明おいて、前記機器の設置場所の照明の明るさを検知する輝度センサーを備え、前記輝度センサーを前記ネットワークに接続し、前記電力監視制御装置は前記ネットワークを介して前記輝度センサーを監視することにより前記照明装置の消灯を検知することを特徴とする。
【００１６】
請求項２７記載の発明では、請求項１９乃至請求項２６のいずれか１項に記載の発明おいて、前記機器の設置場所に温度を検知する温度センサーを備え、前記温度センサーを前記ネットワークに接続し、前記電力監視制御装置は前記ネットワークを介して前記温度センサーを監視することにより前記空調装置の停止を検知することを特徴とする。
請求項２８記載の発明では、請求項１９乃至請求項２７のいずれか１項に記載の発明おいて、前記機器が設置された場所の明るさを検知する輝度センサーを前記ＯＡ機器が備え、前記照明装置の消灯の検知を前記機器に備えられた輝度センサーで行うことを特徴とする。
請求項２９記載の発明では、請求項１９乃至請求項２８のいずれか１項に記載の発明おいて、前記機器が設置された場所の温度を検知する温度センサーを前記機器が備え、前記空調装置の運転停止の検知を、前記ＯＡ機器に備えられた温度センサーで行うことを特徴とする。
請求項３０記載の発明では、請求項１９乃至請求項２８のいずれか１項に記載の発明おいて、前記機器及び設備装置が設置された場所の温度検出及び明るさ検出を、請求項２６乃至請求項２９に記載のセンサーのいずれか、各１個としたことを特徴とする。
【００１７】
請求項３１記載の発明では、ネットワークに接続された複数の機器と、前記ネットワークに接続され、前記機器の設置場所に備えられた設備装置をネットワークを介して、監視制御する電力監視制御装置の制御方法であり、前記設備装置及びＯＡ機器の動作状況を監視する監視ステップと、前記監視ステップの結果により、前記ＯＡ機器及び／または前記設備装置の電力制御を行う電力制御ステップと、を備えたことを特徴とする。
請求項３２記載の発明では、請求項１９記載の発明において、前記機器を画像形成装置であり、前記画像形成装置の電源ＯＦＦモードの検出は、前記電力監視制御装置からの信号に対する回答がないこととしたことを特徴とする。
請求項３３記載の発明では、請求項１９または請求項３２のいずれか１項に記載の発明において、前記機器の設置場所に照明の明るさを検知する輝度センサーを備え、前記輝度センサーを前記ネットワークに接続し、前記電力監視制御装置は前記ネットワークを介して前記輝度センサーを監視することにより、前記照明装置の消灯を検知することを特徴とする。
【００１８】
請求項３４記載の発明では、請求項１９、請求項３２または請求項３３に記載の発明において、前記機器の設置場所に温度を検知する温度センサーを備え、前記温度センサーを前記ネットワークに接続し、前記電力監視制御装置は前記ネットワークを介して前記温度センサーを監視することにより、前記空調装置の停止を検知することを特徴とする。
請求項３５記載の発明では、請求項１９、請求項３２、請求項３３または請求項３４のいずれか１項に記載の発明おいて、前記機器及び設備装置に、電力削減するための動作を実施する内容を送信する送信手段を備えたことを特徴とする。
【発明の効果】
【００１９】
本発明によれば、ネットワークに接続された機器または居室の状況を検知して、その状況に応じて、効果的な対応をすることで、機器及び設備装置全体、居室、フロア、ビル全体の電力削減が可能となる。電力消費を削減することができる。
【発明を実施するための最良の形態】
【００２０】
以下、本発明の好適な実施の形態について、図１ないし図１６を参照して詳細に説明する。
本実施の形態では、社内ＬＡＮ（ローカル・エリア・ネットワーク）１２０を使用して
、ネットワークに接続された機器の消費電力の監視（管理）を行う電力監視ネットワークシステムについて説明する。
図１の電力監視ネットワークシステムは、居室に設置され、社内ＬＡＮ１２０に接続された、パソコン１０３、パソコン１０４、ＦＡＸ１０５及び各居室及び会議室、ホール等に設置されたエアコンの運転状況の監視・制御する空調管理装置１０６、各居室、会議室、ホール等の照明状況の監視・制御する照明管理装置１０７、居室、ビル等への入退出を管理する入退出管理装置１０８、前記ＯＡ機器及び前記設備装置が設置された場所の温度を検出する温度センサー１０９、この場所の明るさを検知する輝度センサー１１１とで構成される。
【００２１】
パソコン１０３には周囲の明るさを検知する光検知センサー１１０を有しており、他の機器はモニタリングすることにより、ＯＡ機器が設置された場所の照明状態を検知することを可能としている。
また、パソコン１０４には、周囲の温度を検知する温度センサー１０２を有しており、この情報を他の機器はモニタリングすることにより、ＯＡ機器が設置された場所の温度状態を検知することを可能としている。
【００２２】
また、入退出管理装置１０８は、個人情報を記憶したＩＣカード情報を読み込むことにより、人の入退出管理及びセキュリテー管理を行っている。入退出管理装置１０８は、各フロアまたは、部屋の全ての人が退社した場合、及び部屋またはフロアに人が入った場合に、その情報を社内ＬＡＮ１２０を介して各機器に送信する。
ＯＡ機器は設備装置の動作状況を監視し、設備装置のいずれかが、稼動状態にない場合は、自ら電力削減した電力削減モードに移行する機能を備えている。
また、設備装置はＯＡ機器の動作状況を監視し、ＯＡ機器のいずれかが、稼動状態にない場合は、自ら電力削減した電力削減モードに移行する機能を備えている。
【００２３】
具体的な例として、ＯＡ機器は、空調管理装置１０６から、空調の運転停止信号を受信または、照明管理装置１０７から照明消灯信号を受信すると、自ら省エネモードへの移行または主電源をＯＦＦするモードへ移行する。また、照明管理装置１０７は、空調管理装置１０６から、空調の運転停止信号を受信または、ＯＡ機器から、省エネモードへの移行または主電源をＯＦＦするモードへの移行信号を受信すると、自ら照明の消灯を行う。
さらに、空調管理装置１０６は、照明管理装置１０７から、照明の消灯信号を受信または、ＯＡ機器から、省エネモードへの移行または主電源をＯＦＦするモードへの移行信号を受信すると、空調の運転停止を行う。
また、照明管理装置１０７は、空調の停止を検知する温度センサーを備え、この温度センサーの温度検出結果により、空調の停止を検出して照明の消灯を行ってもよい。さらに、空調管理装置１０６は、照明の消灯を検知する光センサーを備え、この光センサーの検出結果により、照明の消灯を検出して空調の停止または温度設定を変えるようにしても良い。
【００２４】
本実施例は、上記した検出手段を全て備えている必要はない。いずれかのＯＡ機器または設備装置が、電力削減モードに移行することにより、連鎖的に他の機器も電力削減モードに移行する。また、電力監視制御装置は、社内ＬＡＮ１２０を介してパソコン１０４に設けられた温度センサー１０２またはネットワークに直接接続された温度センサー１０９の出力を検知することにより、このＯＡ機器が設置された居室またはフロア等の温度の状態を確認し、空調の停止を検出することにより、各機器の電源をＯＦＦ、運転停止または省エネモード等に移行させる。
【００２５】
図２は、本実施例に係る画像形成装置１０１の回路構成の一例を示した図である。
画像形成装置１０１のシステムは、画像形成装置１０１の全体制御を行うコントローラーボード５０１、コントローラールボード５０１に接続された操作部制御ボード５０２、画像データを記憶するＨＤＤ（ハード・ディスク・ドライブ）５０３、ＬＡＮインターフェースボード５０５、汎用ＰＩＣバスを介してコントローラーボード５０１に接続されたＦＡＸコントロールユニット（ＦＣＵ）５０６、エンジン制御ボード５１０、エンジン制御ボード５１０に接続されたコピー原稿（画像）を読み込むスキャナーボード（ＳＢＵ）５１１、画像データをドラム上に書き込む書き込み制御用ボード（ＬＤＢ）５１２、定着装置に電力を供給するＡＣ制御回路５１９及び上記各種ボード、制御回路に電源を供給するＰＳＵ５２５を備えている。
【００２６】
コントローラーボード５０１には、ＣＰＵ（中央演算処理装置）及びコントローラーボード５０１の制御を行うＲＯＭ（リード・オンリ・メモリ）、ＣＰＵが使用する作業用メモリーであるＲＡＭ（ランダム・アクセス・メモリ）、リチウム電池によりＳＲＡＭ（スタティック・ランダム・アクセス・メモリ）のバックアップと時計機能を備えたＮＶ−ＲＡＭ（不揮発性ＲＡＭ）５３１及び、コントローラーボード５０１のシステムバス制御、ローカルバス制御、フレームメモリー、ＦＩＦＯ等のメモリーインターフェース制御、ＰＣＩバス、ＨＤＤＩ／Ｆ、圧縮／伸長、編集／回転機能及びＣＰＵ周辺を制御する機能を搭載したＡＳＩＣ（特定用途向けＩＣ）及びそのインターフェース回路等が搭載されている。
【００２７】
コントローラーボード５０１に搭載されているＮＶ−ＲＡＭ５３１は、画像形成装置１０１が複写動作を実施後、一定時間複写動作が実施されないと省エネモードに移行するようになっている。このＮＶ−ＲＡＭ５３１には、この省エネモードへ移行する時間、定着装置の加熱部への電力供給を停止した時間、画像形成装置１０１が設置された場所の室温または照明の明るさ等が記憶されている。
このＮＶ−ＲＡＭ５３１に記憶された内容は、社内ＬＡＮ１２０に接続された他の機器によりモニターされ、画像形成装置１０１の動作状況及び画像形成装置１０１が設置された場所の状況が確認される。また、コントローラーボード５０１は、操作部制御ボード５０２の入力を解読して本システムの設定とその状態内容を操作部の表示部に表示する。
操作部制御ボード５０２には、ＣＰＵ及びＲＯＭ、ＲＡＭ、ＬＣＤＣ及びキー入力を制御するＡＳＩＣ（ＬＣＤＣ）が搭載されている。
ＲＯＭには操作部制御ボード５０２の入力読込み、及び表示出力を制御するプログラムが書き込まれている。ＲＡＭは、ＣＰＵが使用する作業用メモリーである。
【００２８】
操作部制御ボード５０２は、他の機器から送信される、省エネモード移行または電源ＯＦＦモードへの移行または、照明の消灯または空調の停止信号を受信すると、この警告表示等を行う。
エンジン制御ボード５１０は、画像形成装置１０１の作像作成制御を主として行い、ＣＰＵ５１８及び画像処理を行うＩＰＰ、複写及びプリントアウトを制御するため必要なプログラムを内蔵したＲＯＭ、その制御に必要なＲＡＭ、及びＮＶ―ＲＡＭを搭載している。
また、他の制御を行うＣＰＵとの信号の送受信を行うタイマー／シリアルインターフェースＡＳＩＣも備えている。
【００２９】
Ｉ／ＯＡＳＩＣは、画像形成装置１０１を制御するモーター、画像形成に使用する帯電、現像バイアス、転写バイアス等の高圧電源制御、コピー用紙を送り出すピックアップソレノイド、給紙クラッチ、レジストクラッチ等や、レジストセンサー、排出センサー、と、トナーエンドセンサー、Ｐセンサー、Ｔセンサー、定着温度を検出するサーミスター、画像形成装置１０１が設置された周辺の光を検知する光検知センサー、温度センサー等のアナログ制御も含む画像形成装置１０１のＩ／Ｏ制御を行っている。
【００３０】
エンジン制御ボード５１０のＣＰＵ５１８は、光検知サンサーが予め設定された明るさ以下の光（電圧）を一定時間検出すると、画像形成装置１０１が設置された場所が消灯したとして、コントローラーボード５０１及びＬＡＮインターフェースボード５０５を介して、省エネモードまたは主電源ＯＦＦモードに移行する信号を外部装置に出力し、自ら省エネモード移行または電源ＯＦＦモードへ移行させる。
また、エンジン制御ボード５１０のＣＰＵ５１８は、温度検知サンサーが予め設定された温度を一定時間検出すると、画像形成装置１０１が設置された場所の空調が停止されたと判断して、コントローラーボード５０１及びＬＡＮインターフェースボード５０５を介して、省エネモードまたは主電源ＯＦＦモードに移行する信号を外部装置に出力し、自ら省エネモード移行または電源ＯＦＦモードへ移行させる。
【００３１】
ＰＳＵ５２５は、スイッチング・レギュレータＩＣ５１５を備えており、画像形成装置１０１が画像形成動作を行うために必要な電源を、各ボード、制御回路及びメカトロ部品に供給する。
ＬＡＮインターフェースボード５０５は、社内ＬＡＮ１２０に接続されており、コントローラーボード５０１との通信インターフェースは、ＰＨＹチップＩ／Ｆ（インターフェース）及びＩ２ＣバスＩ／Ｆの標準的な通信インターフェースで接続されている。外部機器との通信はこのＬＡＮインターフェースボード５０５を経由して実施される。
【００３２】
画像形成装置１０１は、一定時間、画像形成装置１０１の画像形成動作が実施されないと、自ら省エネモードへ移行する機能または、主電源をＯＦＦする機能を備えており、ＰＳＵ５２５は、エンジン制御ボード５１０のＣＰＵ５１８から、画像形成装置１０１の使用電力を削減するための省エネモード移行信号（ｃ）が出力されると、コントローラーボード５０１、ＬＡＮインターフェースボード５０５、省エネモード解除ＳＷ５０８及びＡＤＦセンサー５０９への電源供給以外は停止する。
また、コントローラーボード５０１は、ＣＰＵがＬＡＮインターフェースボード５０５を介して、省エネモード移行信号を受信すると、エンジン制御ボード５１０のＣＰＵ５１８を介して、画像形成装置１０１の使用電力を削減するための省エネモード移行信号（ｃ）をＰＳＵ５２５に出力する。
ＰＳＵ５２５はこの信号が出力されると、コントローラーボード５０１、ＬＡＮインターフェースボード５０５、省エネモード解除ＳＷ５０８及びＡＤＦセンサー５０９への電源供給以外は停止する。
また、ＬＡＮインターフェースボード５０５は、外部機器からの信号を受信すると、省エネモード解除信号（ａ）をＰＳＵ５２５に出力する。ＰＳＵ５２５は省エネモードを解除するために、画像形成装置の画像形成を行うために必要な電源を各ボード、制御回路及びメカトロ部品に供給する。画像形成装置１０１は、主電源のスイッチが投入された時と同じ状態に復帰する。
なお、主電源をＯＦＦする方法は、図６の説明に記載する。
【００３３】
また、ＰＳＵ５２５は省エネモード解除ＳＷ５０８からの省エネモード解除信号（ｂ）、圧板の開放を検知する圧板センサー５２２または、ＡＤＦへの原稿挿入を検知するＡＤＦセンサー５０９の出力が入力されると、省エネモードを解除するために、画像形成装置の画像形成を行うために必要な電源を各ボード、制御回路及びメカトロ部品に供給する。画像形成装置１０１は、主電源のスイッチが投入された時と同じ状態に復帰する。
【００３４】
次に、図３を参照してパソコンの回路構成図の説明を行う。
チップセットに含まれる機能は、メモリーコントローラー４０１、システム・コントローラー４０２及びＩ／Ｏコントローラー４０３である。
メモリーコントローラー４０１は、メイン・メモリー・チップや外部キャッシュ・メモリー・チップを制御してプロセッサやＩ／Ｏデバイスとのデータ転送をつかさどる。
また、Ｉ／Ｏコントローラー４０３は、ディスクやグラフィックス、ネットワークなどのＩ／Ｏデバイス、またはそのインターフェースを制御する。システムコントローラー４０２は、割り込み要求（ＩＲＱ）やＤＭＡ、システム・クロック、タイマ、電力管理などＰＣシステムの基礎的な部分を制御する。
【００３５】
本実施例のネットワークは、ＬＡＮ（ローカル・エリア・ネットワーク）、モデムインターフェース回路４０４のＬＡＮプラグに接続される。この信号はＩ／Ｏコントローラー４０３により制御されＰＣＩバスを介してＣＰＵ４１０に転送される。
ＣＰＵ４１０は、設備装置から出力された、電力削減モードの信号を受信すると、アプリケーションが動作してないことを確認し、自ら主電源をＯＦＦまたは省エネモード（モニターの電源及びハードディスクの電源を切る）を実行する。
また、Ｉ／Ｏコントローラー４０３には、パソコンが設置された室内（場所）の温度を検知する温度センサー４２０が接続されている。パソコン内部の不揮発性メモリに空調が停止した状態の温度または、空調の設定温度を予め記憶しておき、この温度と温度センサー４２０の出力結果との比較を行い、空調の停止を検出し、自ら主電源をＯＦＦまたは省エネモード（モニターの電源及びハードディスクの電源を切る）を実行する。
【００３６】
また、Ｉ／Ｏコントローラー４０３には、パソコンが設置された室内（場所）の照明の明るさを検知する光検知センサー（輝度センサー）４２２が接続されている。パソコン内部の不揮発性メモリに照明点灯時の明るさを予め記憶しておき、この値と、光検知センサー４２２の出力結果との比較を行い、消灯を検出し、自ら主電源をＯＦＦまたは省エネモード（モニターの電源及びハードディスクの電源を切る）を実行する。
さらに、ＣＰＵ４１０は、他の機器から送信される、省エネモード移行または電源ＯＦＦモードへの移行または、照明の消灯または空調の停止信号を受信すると、この警告表示等を行う。
【００３７】
次に、照明管理装置１０７の構成を図４を参照して説明する。
制御部８１０にはＣＰＵを備え、ＬＡＮインターフェース回路８０５を介して各ＯＡ機器及び他の設備装置との信号の送受信を行うようになっている。照明管理装置１０７は、各照明器具８０１に対して、点灯及び消灯の動作及び照明状況監視、運転スケジュール管理等の機能を有している。
ＣＰＵは予め設定された照明の明るさ信号を調光器８０２に出力する。調光器８０２はこの明るさに対応した出力を行う。また、調光器８０２の出力電圧を“０Ｖ”にすることにより、照明は消灯される。
また、制御部５０１には、居室等に設置された輝度センサー８０６が接続されており、この輝度センサー８０６により、室内の明るさが検出される。また、照明器具８０１が設置された、室温を検知する温度センサー８０７も備えており、これにより、空調が停止されたことを検知するようになっている。
【００３８】
通常、室内、会議室、フロア、ホール等に入る時に、手動スイッチ８０８により照明は点灯され、退出時に消灯されるが、共有する設備と言うこともあり、退出時に消灯しないことも起こり得る。また、手動スイッチ８０８の信号は、制御部８１０にも接続され、手動スイッチ８０８による照明の点灯、消灯は照明管理装置１０７により監視される。
照明管理装置１０７は、他の設備装置、例えば前記した空調装置の停止または、ＯＡ機器から送信される省エネモード信号または主電源ＯＦＦ信号により、自ら照明の消灯を行う機能も備えている。
【００３９】
次に、ビルに設置された空調管理装置１０６の構成例を図５を参照して説明する。
空調管理装置１０６は、ＬＡＮインターフェース回路（図示せず）を介して各ＯＡ機器及び他の設備装置との信号の送受信を行う。
空調管理装置１０６は、各空調機（エアコン）６０１に対して、運転状況監視、運転スケジュール管理、温度管理の機能を有している。具体的には、予め設定された、日時と予め設定された温度により運転を開始し、予め設定された時間になると、運転を停止する。
また、温度設定パネルの温度を変えることにより、空調の温度を変えることも可能であり、また、空調運転スイッチにより手動で運転開始、または空調停止スイッチにより手動で運転停止とすることも可能である。
【００４０】
会議室やホールのように使用される時間が固定されてない場合や、時間外の会議室使用、居室使用等の、予め設定された時間以降の使用は、手動により運転を開始し、手動により空調を停止する。この際、共有の設備であることもあり、空調の停止を忘れることもあり得る。また、空調管理装置１０６には、空調機が設置された居室等の明るさを検知する輝度センサー１１１が接続されており、この輝度センサー１１１により、居室の消灯を検知するようになっている。
なお、空調管理装置１０６は手動運転、自動運転に関わらず、空調の運転状態を常時監視しており、他の設備装置及びＯＡ機器等からの運転状況の問い合わせに対して返答する。
空調管理装置１０６は、他の設備装置、例として前記した照明器具８０１の消灯または、ＯＡ機器から送信される省エネモード信号または主電源ＯＦＦ信号により、自ら運転の停止、または予め設定された温度に制御する機能も備えている。
【００４１】
次に、図６を参照して、主電源をＯＡ機器の制御部が自らＯＦＦする制御回路の例を説明する。
この回路は、ヒューズ７１、リセット機能付きスイッチ７２、フィルタ回路７３、ＤＣ／ＤＣコンバータ７４、ＣＰＵを含んだＯＡ機器の制御部７５、リセット機能付きスイッチの開放用コイルをドライブするドライブ回路７６、ＬＡＮ７７よい構成されている。
リセット機能付きスイッチ７２は、手動によりＯＮされると、内部の磁石（図示せず）により、保持され、開放する時は、内部のコイルを通電する。内部のコイルは通電されると、保持磁石より、強い磁力を発生し開放するようになっている。
ＯＡ機器の制御部７５は、ＬＡＮを介して、主電源をＯＦＦする信号が入力された場合、または自ら主電源をＯＦＦする時には、ドライブ回路７６にコイルを通電する信号を出力する。
【００４２】
次に、照明管理装置１０７が、居室等のＯＡ機器の電力削減モードまたは空調停止を検知すると、自ら照明を消灯する処理を図７のフローチャートを参照して説明する。尚、会議室、フロア、ホール等のＯＡ機器の動作状況、空調の運転状況を確認し、照明を消灯する動作もこのフローチャートと同様なので説明は省略する。
まず初めに、平日か否かの確認を行う（ステップ１０)。平日の場合には（ステップ１０；Ｙ）、予め設定した時間、この例の場合は、勤務時間を過ぎた時間（１８時以降）かの確認を行う（ステップ１１）。勤務時間内の場合には（ステップ１１；Ｎ）、この処理は終了する。尚、会議室、ホール等は、常に使用されているとは限らない。このような場所に設置されたＯＡ機器及び設備装置は、日時に関わりなく、常時、相互に監視するようにしても良い。
【００４３】
勤務時間を過ぎた時刻の場合には（ステップ１１；Ｙ）、居室の全てのＯＡ機器から省エネモード信号または主電源ＯＦＦの信号が出力されているか確認する（ステップ１２）。省エネモード信号または主電源ＯＦＦの信号が出力されていた場合は（ステップ１２；Ｙ）、居室の空調管理装置１０６に照明を消灯する信号を送信する（ステップ１３）。次に、照明管理装置１０７は居室の対象照明器具の照明を自ら消灯し（ステップ１４）、処理を終了する。この消灯対象の照明器具は、予め設定されており、非常灯等は除く。
一方、省エネモード信号または主電源ＯＦＦの信号が出力されていない場合は（ステップ１２；Ｎ）、居室の空調管理装置１０６から、空調の運転停止信号が出力されているか確認する（ステップ１５）。出力されている場合には（ステップ１５；Ｙ）、ＯＡ機器に照明を消灯する信号を送信する（ステップ１６）。次に、照明管理装置１０７は居室の対象照明器具の照明を自ら消灯し（ステップ１７）、処理を終了する。
【００４４】
また、空調の運転停止信号が出力されてない場合には（ステップ１５；Ｎ）、照明管理装置１０７に接続された、居室の温度を検出する温度センサーの出力レベルが空調停止レベルか確認する（ステップ１８）。空調停止レベルの場合には（ステップ１８；Ｙ）、ＯＡ機器に照明を消灯する信号を送信する（ステップ１６）。
一方、居室の温度を検出する温度センサーの出力レベルが空調停止レベルでない場合には（ステップ１８；Ｎ）、次にＯＡ機器の状態を確認するために、居室のＯＡ機器全てに、Ｐｉｎｇコマンドを送信する（ステップ１９）。そして、全てのＯＡ機器からこのコマンドに対する返答がない場合は（ステップ２０；Ｙ）、空調管理装置１０６に照明を消灯する信号を送信する（ステップ１３）。次に、照明管理装置１０７は居室の対象照明器具の照明を自ら消灯し、処理を終了する（ステップ１４）。
コマンドに対する返答がある場合には（ステップ２０；Ｎ）、この返答があるＯＡ機器が、省エネモードか確認する（ステップ２１）。省エネモードの場合には（ステップ２１；Ｙ）、空調管理装置１０６に照明を消灯する信号を送信する（ステップ１３）。次に、照明管理装置１０７は居室の対象照明器具の照明を自ら消灯し（ステップ１４）、処理を終了する。省エネモードでない場合には（ステップ２１；Ｎ）、処理を終了する。
尚、平日でない場合は（ステップ１０；Ｎ）、勤務時間を過ぎたとして、居室の全てのＯＡ機器から省エネモード信号または主電源ＯＦＦの信号が出力されているか確認する動作を行う（ステップ１２）。
【００４５】
次に、空調管理装置１０６がＯＡ機器の電力削減モードまたは照明の消灯を検知すると、自ら空調の運転を停止する処理を図８のフローチャートを参照して説明する。
尚、会議室、フロア、ホール等のＯＡ機器の動作状況、照明の点灯状況を確認し、空調を自ら停止する動作も、本処理と同様なので説明を省略する。
まず初めに、平日か否かの確認を行う（ステップ３０）。平日の場合には（ステップ３０；Ｙ）、予め設定した時間、この例の場合は、勤務時間（１８時）を過ぎた時間か否かの確認を行う（ステップ３１）。勤務時間内の場合には（ステップ３１；Ｎ）、処理を終了する。
そして、勤務時間を過ぎた時間の場合には（ステップ３１；Ｙ）、居室の全てのＯＡ機器から省エネモード信号または主電源ＯＦＦの信号が出力されているか確認する（ステップ３２）。省エネモード信号または主電源ＯＦＦの信号が出力されていた場合は（ステップ３２；Ｙ）、居室内の照明管理装置１０７に空調を停止する信号を送信する（ステップ３３）。次に、空調管理装置１０６は、空調の運転停止または予め設定された制御温度設定を行い（ステップ３４）、処理を終了する。
【００４６】
一方、省エネモード信号または主電源ＯＦＦの信号が出力されていない場合は（ステップ３２；Ｎ）、居室の照明管理装置１０７から、照明消灯信号が出力されているか確認する（ステップ３５）。出力されている場合には（ステップ３５；Ｙ）、次にＯＡ機器に空調を停止する信号を送信する（ステップ３６）。次に、空調管理装置１０６は、空調の運転停止または予め設定された制御温度設定を行い（ステップ３７）、処理を終了する。
一方、照明消灯信号が出力されてない場合には（ステップ３５；Ｎ）、空調管理装置１０６に接続された居室の明るさを検知する光検知センサーの出力レベルが消灯レベルか確認する（ステップ３８）。そして、消灯レベルの場合には（ステップ３８；Ｙ）、ＯＡ機器に空調を停止する信号を送信する（ステップ３６）。次に、空調管理装置１０６は、空調の運転停止または予め設定された制御温度設定を行い（ステップ３７）、処理を終了する。
【００４７】
居室の明るさを検知する光検知センサーの出力レベルが消灯レベルでない場合には（ステップ３８；Ｎ）、居室のＯＡ機器全てに、Ｐｉｎｇコマンドを送信する（ステップ３９）。全てのＯＡ機器からこのコマンドに対する返答がない場合は（ステップ４０；Ｙ）、居室内の照明管理装置１０７に空調を停止する信号を送信する（ステップ３３）。次に、空調管理装置１０６は、空調の運転停止または予め設定された制御温度設定を行い（ステップ３４）、処理を終了する。
コマンドに対する返答がある場合には（ステップ４０；Ｎ）、この返答があるＯＡ機器が、省エネモードか確認する（ステップ４１）。省エネモードの場合には（ステップ４１；Ｙ）、次に居室内の照明管理装置１０７に空調を停止する信号を送信する。次に、空調管理装置は１０６は、自ら空調の運転停止または予め設定された制御温度設定を行い（ステップ３４）、本フローは終了する。また、省エネモードでない場合には（ステップ４１；Ｎ）、処理を終了する。
尚、平日でない場合は（ステップ３０；Ｎ）、勤務時間を過ぎたとして、居室の全てのＯＡ機器から省エネモード信号または主電源ＯＦＦの信号が出力されているか確認する動作を行う（ステップ３２）。
【００４８】
次に、ＯＡ機器は空調管理装置１０６の運転停止または照明管理装置１０７の照明の消灯を検知すると、自ら省エネモードまたは主電源ＯＦＦモードに移行する処理を図９のフローチャートを参照して説明する。
尚、会議室、フロア、ホール等の空調の動作状況、照明の点灯状況を確認し、ＯＡ機器、自ら省エネモードまたは主電源ＯＦＦモードに移行する動作も、本処理と同様なので説明を省略する。
まず初めに、平日か否かの確認を行う（ステップ５０）。平日の場合には（ステップ５０；Ｙ）、予め設定した時刻、この例の場合は勤務時刻（１８時）を過ぎたか否かを確認する（ステップ５１）。勤務時間内の場合には（ステップ５１；Ｎ）、処理を終了する。
【００４９】
勤務時間を過ぎた時刻の場合には（ステップ５１；Ｙ）、居室の空調管理装置１０６から空調の運転停止信号が出力されているか確認する（ステップ５２）。空調の運転停止信号が出力されている場合には（ステップ５２；Ｙ）、空調の運転が停止される警告表示を行う（ステップ５３）。次に、一定時間の経過を計測するタイマーを動作させ（ステップ５５）、一定時間経過すると（ステップ５５；Ｙ）、照明管理装置１０７に、ＯＡ機器の主電源をＯＦＦする信号を送信する（ステップ５６）。次に、ＯＡ機器自ら、省エネモードへの移行または主電源ＯＦＦモードへ移行する（ステップ５７）。この省エネモードへ移行するＯＡ機器は、常時ネットワークの接続が必要なインターネットＦＡＸ等の機能を搭載した複合機である。
【００５０】
空調の運転停止信号が出力されてない場合は（ステップ５２；Ｎ）、次に、ＯＡ機器が設置された室温を検知するために、ＯＡ機器に備えられた温度検知センサーの出力が空調停止されたレベルか確認する（ステップ５４）。空調が停止されたレベルの場合には（ステップ５４；Ｙ）、照明管理装置１０７に、ＯＡ機器の主電源をＯＦＦする信号を送信する（ステップ５６）。そして、ＯＡ機器自ら、省エネモードへの移行または主電源ＯＦＦモードへ移行し（ステップ５７）、処理を終了する。
一方、温度検知センサーの出力が空調停止レベルでない場合は（ステップ５４；Ｎ）、居室の照明管理装置１０７から、照明消灯信号が出力されているか確認する（ステップ５８）。出力されている場合には（ステップ５８；Ｙ）、照明が消灯される警告表示を行う（ステップ５９）。
【００５１】
次に、一定時間の経過を計測するタイマーを動作させ（ステップ６１）、一定時間経過すると（ステップ６１；Ｙ）、空調管理装置１０６に、ＯＡ機器の主電源をＯＦＦする信号を送信する（ステップ６２）。次に、ＯＡ機器自ら、省エネモードへの移行または主電源ＯＦＦモードへ移行し（ステップ６３）、処理を終了する。
一方、照明消灯信号が出力されてない場合は（ステップ５８；Ｎ）、ＯＡ機器が設置された室内の明るさを検知するために、ＯＡ機器に備えられた光検知センサーの出力が消灯レベルか確認する（ステップ６０）。消灯レベルの場合には（ステップ６０；Ｙ）、空調管理装置１０６に、ＯＡ機器の主電源をＯＦＦする信号を送信する（ステップ６２）。次に、ＯＡ機器自ら、省エネモードへの移行または主電源ＯＦＦモードへ移行し（ステップ６３）、処理を終了する。
一方、居室の明るさを検知する光検知センサーの出力レベルが消灯レベルでない場合は（ステップ６０；Ｎ）、処理を終了する。
尚、会議室、ホール等は、常に使用されているとは限らない。このような場所に設置されたＯＡ機器及び設備装置は、日時に関わりなく、常時、相互に監視し、照明が消灯された場合、または空調が停止された場合、またはＯＡ機器の使用を止めた場合には、ＯＡ機器、設備装置は電力削減モードに移行しても良い。
【００５２】
以上説明したように本実例によれば、ＯＡ機器及び設備装置全体の無駄な消費電力削減が可能となり、居室、フロア、ビル全体の消費電力削減が可能な、電力監視ネットワークシステムが提供できる。
また、ネットワークに接続された機器全体の消費電力量を抑制し、予め定められた許容消費電力量を超えるのを防止することが可能な電力監視ネットワークシステムが提供できる。
【００５３】
次に、図１０を参照して、第２の実施例を説明する。
第２の実施例に係る電力監視ネットワークシステムは、居室に設置され、社内ＬＡＮ１２０に接続された画像形成装置１０１、パソコン１０３、パソコン１０４、ＦＡＸ１０５及び各居室及び会議室、ホール等に設置されたエアコンの運転状況の監視・制御する空調管理装置１０６、各居室、会議室、ホール等の照明状況の監視・制御する照明管理装置１０７、居室、ビル等への入退出を管理する入退出管理装置１０８、前記ＯＡ機器及び前記設備装置が設置された場所の温度を検出する温度センサー１０９、この場所の明るさを検知する輝度センサー１１１と、前記機器とをネットワークを介して接続された電力監視制御装置１００とで構成される。
【００５４】
パソコン１０３は周囲の明るさを検知する光検知センサー１１０を有しており、この情報を電力監視制御装置１００はモニタリングすることにより、ＯＡ機器が設置された場所の照明状態を検知することを可能にしている。
また、パソコン１０４は、周囲の温度を検知する温度センサー１０２を有しており、この情報を電力監視制御装置１００はモニタリングすることにより、ＯＡ機器が設置された場所の温度状態を検知することを可能にしている。
さらに、入退出管理装置１０８は、個人情報を記憶したＩＣカード情報を読み込むことにより、人の入退出管理及びセキュリテー管理を行っている。入退出管理装置１０８は、各フロアまたは、部屋の全ての人が退社した場合、及び部屋またはフロアに人が入った場合に、その情報を社内ＬＡＮ１２０を介して電力監視制御装置１００に送信するようになっている。
【００５５】
電力監視制御装置１００は、社内ＬＡＮ１２０を介して、前記ＯＡ機器と設備装置の動作状況を監視し、ＯＡ機器または設備装置のいずれかが、稼動状態にない場合は、稼動状態にある前記ＯＡ機器または設備装置を電力削減した電力削減モードに移行する機能を備えている。以下に具体的な動作説明を行う。
まず、電力監視制御装置１００は、社内ＬＡＮ１２０を介してパソコン１０３に設けられた光検知センサー１１０またはネットワークに直接接続された輝度センサー１１１の出力を検知することにより、このＯＡ機器が設置された居室またはフロア等の照明の点灯状態を確認する。そして、既に消灯されていた場合は、各機器の電源をＯＦＦ、運転停止または省エネモード等に移行させる。
また、電力監視制御装置１００は、社内ＬＡＮ１２０を介してパソコン１０４に設けられた温度センサー１０２またはネットワークに直接接続された温度センサー１０９の出力を検知する。そして、このＯＡ機器が設置された居室またはフロア等の温度の状態を確認し、空調の停止を検出することにより、各機器の電源をＯＦＦ、運転停止または省エネモード等に移行させる。
【００５６】
また、電力監視制御装置１００は、このネットワークに接続された全てのＯＡ機器の稼動状況をネットワークを介して確認し、省エネモードの状態または、電源がＯＦＦ状態の場合には、前記空調装置の運転停止及び予め設定された必要ない照明の消灯を行うようになっている。
なお、電力監視制御装置１００は対象ＯＡ機器にＰｉｎｇコマンドを送信し、このコマンドに対する返答コマンドを受信しない場合に、ＯＡ機器の電源がＯＦＦされていることを確認する。
電力監視制御装置１００は時計機能及びカレンダー機能を有しており、予め設定された日時または、お昼休み等の休憩時間になると照明の消灯、画像形成装置１０１の電源をＯＦＦまたは省エネモードへの移行動作を行う機能も備えている。また、予め設定された日時または、お昼休み等の休憩が終了する時間になると照明点灯及び画像形成装置１０１の電源をＯＮまたは、省エネモードの解除動作を行う機能も備えている。
【００５７】
図１１には、インターネットを使用した本実施例に係る電力監視システムの概略構成を示してある。電力監視制御装置２００は、監視対象となる機器のネットワークアドレスを予め設定しておくことにより、前記図１０に示した電力監視ネットワークシステムと同様の動作が可能である。
各機器は社内ＬＡＮ１２０を介してルーター（Ｒｏｕｔｅｒ）２１０に接続され、電力監視制御装置２００はインターネットに接続されたこのルーター２１０を介して機器の情報を取得する以外は、図１０と同じなので説明は省略する。
尚、本実施例に記載したセンサーまたは機器を全て備えなくても本発明の実施は可能である。
【００５８】
次に電力監視制御装置１００にネットワークを介して接続される画像形成装置１０１の回路構成例は、図２に示したものと同一であるので説明を省略する。
尚、電力監視制御装置１００はこのＮＶ−ＲＡＭ５３１に記憶された内容を読み込み、画像形成装置１０１の動作状況及び画像形成装置１０１が設置された場所の状況を確認するようになっている。
【００５９】
次に、図１０の電力監視制御装置１００にネットワークを介して接続されたパソコン１０４の回路構成例は、図３に示したものと同一の箇所は説明を省略する。
ＣＰＵ４１０は電力監視制御装置１００からの、電源ＯＦＦ信号（シャットダウン信号）または省エネ信号を受信するとアプリケーションが動作していないことを確認し、パソコンの電源をＯＦＦまたは省エネモード（モニターの電源及びハードディスクの電源を切る）を実行する。
また、Ｉ／Ｏコントローラー４０３には、パソコンが設置された室内（場所）の温度を検知する温度センサー４２０または、室内の明るさを検知する輝度センサー４２２が接続されている。ＣＰＵ４１０は、ＬＡＮ、モデムインターフェース回路４０４を介して電力監視制御装置１００から、温度の問い合わせまたは、明るさの問い合わせがあると、温度情報または、明るさの情報を電力監視制御装置１００に出力するようになっている。
また、パソコン内部の不揮発性メモリに空調が停止した状態の温度または、空調の設定温度を予め記憶しておき、この温度と温度センサー４２０の出力結果との比較を行い、空調の停止を検出し、空調の停止が検出された場合は、電力監視制御装置１００に空調停止信号を出力するように予めプログラムを作成しておいても良い。
【００６０】
次に、照明管理装置１０７の構成を図１２を参照して説明する。
制御部８１０はＣＰＵを備え、ＬＡＮインターフェース回路８０５を介して電力監視制御装置との信号の送受信を行うようになっている。
照明管理装置１０７は、各照明装置８０１に対して、点灯及び消灯の動作、照明状況監視及び運転スケジュール管理等の機能を有している。
ＣＰＵは電力監視制御装置からの照明の明るさ信号を調光器８０２に出力する。調光器８０２は、この明るさに対応した出力を行う。また、調光器８０２の出力電圧を“０Ｖ”にすることにより、照明は消灯される。
また、制御部８１０には、別の場所に設置された輝度センサー８０６が接続されており、この輝度センサー８０６により、室内の明るさが検出され、電力監視制御装置にも送信される。
また、照明管理装置１０７は、ネットワークを介して外部（電力監視制御装置）から、消灯信号が入力されると、照明装置８０１の消灯をする機能も備えている。
【００６１】
室内、会議室、フロア、ホール等に入る時に、手動スイッチにより照明は点灯され、退出時に消灯されるが、消灯するのを忘れることがある。共有する設備と言うこともあり、退出時に消灯しないことも良くある。
また、手動スイッチ８０８の信号は、制御部８１０にも接続され、手動スイッチ８０８による照明の点灯、消灯は照明管理装置１０７に監視される。
尚、照明管理装置１０７は、照明の状態を常時監視し、電力監視制御装置からの問い合わせに対して返答する。
【００６２】
次に、ビルに設置された空調管理装置の構成例は、図５に示した第１の実施例のものと同様であるので、説明は省略する。
尚、この空調管理装置は、手動運転、自動運転に関わらず、空調の運転状態を常時監視し、電力監視制御装置からの問い合わせに対して返答するようになっている。
次に、主電源をＯＡ機器の制御部が自らＯＦＦする制御回路の例は、第１の実施例における図６の説明と同様なので、ここでは説明を省略する。
【００６３】
次に、図１３のフローチャートを参照して、居室のＯＡ機器の稼動状態を確認し、照明装置及び空調装置を消費電力削減モードに移行する処理手順を説明する。
尚、会議室、フロア、ホール等のＯＡ機器の動作状況を確認して行う、照明の消灯動作、空調の運転停止動作もこの処理と同様なので説明を省略する。
まず初めに、平日か否かの確認を行う（ステップ７０）。平日でない場合は（ステップ７０；Ｎ）、処理を終了する。一方、平日の場合には（ステップ７０；Ｙ）、予め設定した時刻、この例の場合は勤務時間（１８時）を過ぎたか否かの確認を行う（ステップ７１）。勤務時間内の場合には（ステップ７１；Ｎ）、処理を終了する。
勤務時間を過ぎた時刻の場合には（ステップ７１；Ｙ）、居室に設置されたＯＡ機器にＰｉｎｇコマンドを送信し（ステップ７２）、このコマンドに対応した返答が各ＯＡ機器からあるか確認する（ステップ７３）。
【００６４】
その結果、返答がある場合は（ステップ７３；Ｙ）、このＯＡ機器が、省エネモード状態か否かを確認する（ステップ７４）。ここで、省エネモードでない場合は（ステップ７４；Ｙ）、ＯＡ機器が使用されている状態なので、居室等に人がまだいると判断して処理を終了する。一方、省エネモードの場合または全てのＯＡ機器から返答がない場合は（ステップ７４；Ｎ）、空調装置の運転状態を居室内に備えられた温度センサーで確認する（ステップ７５）。
そして、運転状態だった場合には（ステップ７５；Ｙ）、空調管理装置１０６に空調を停止する警告信号を送信する（ステップ７６）。次に、運転中の空調装置を停止する信号または予め設定された温度（電力削減できる制御温度）にする信号を空調管理装置１０６に送信する（ステップ７７）。
【００６５】
次に、照明の点灯状態を、居室内に備えられた輝度センサーで確認する（ステップ７８）。照明が点灯状態でない場合は（ステップ７８；Ｎ）、処理を終了する。点灯状態の場合には（ステップ７８；Ｙ）、照明管理装置１０７に消灯する警告信号を送信する（ステップ７９）。次に、照明管理装置１０７に照明を消灯する信号を送信して（ステップ８０）、処理を終了する。
【００６６】
次に、図１４のフローチャートを参照して、居室等の照明の消灯状態を確認し、ＯＡ機器及び空調装置を消費電力削減モードに移行する処理手順を説明する。
尚、会議室、フロア、ホール等のＯＡ機器の動作状況を確認して行う、照明の消灯動作、空調の停止動作もこの処理と同様なので説明を省略する。
まず初めに、平日か否かの確認を行う（ステップ９０）。平日でない場合は（ステップ９０；Ｎ）、処理を終了する。一方、平日の場合には（ステップ９０；Ｙ）、予め設定した時刻、この例の場合は、勤務時間（１８時）を過ぎた時刻か否かの確認を行う（ステップ９１）。勤務時間内の場合には（ステップ９１；Ｎ）、処理を終了する。
勤務時間を過ぎた時間の場合には（ステップ９１；Ｙ）、各照明管理装置１０７に対して、点灯及び消灯の動作、照明状況監視及び運転スケジュール管理等の機能を有している、居室の照明管理装置１０７から、消灯信号の送信があったか否かを確認する（ステップ９２）。
【００６７】
その結果、消灯信号の送信があった場合には（ステップ９２；Ｙ）、居室のＯＡ機器にＰｉｎｇコマンドを送信し（ステップ９３）、このコマンドに対応した返答が各ＯＡ機器からあったか確認する（ステップ９４）。ここで、返答があった場合は（ステップ９４；Ｙ）、このＯＡ機器が、省エネモード状態か否かを確認する（ステップ９５）。省エネモードでない場合は（ステップ９５；Ｙ）、省エネモードでないＯＡ機器に電源をＯＦＦする警告信号を送信する（ステップ９６）。
次に、省エネモードでないＯＡ機器に省エネモードまたは主電源をＯＦＦする信号を送信する（ステップ９７）。この省エネモード信号を出力するＯＡ機器は、ＦＡＸ機能等を備えた複合機の画像形成装置等である。
【００６８】
次に、空調の運転状態を確認するため、消灯された居室の空調管理装置１０６から空調停止信号が出力されていたかを確認する（ステップ９８）。空調停止信号が出力されてない場合には（ステップ９８；Ｙ）、空調管理装置１０６に空調を停止する警告信号を送信する（ステップ９９）。次に、運転中の空調装置を停止する信号または予め設定された温度（電力削減できる制御温度）にする信号を空調管理装置１０６に送信し（ステップ１００）、処理を終了する。
また、居室の照明管理装置１０７からの消灯信号がない場合で（ステップ９２；Ｎ）、各ＯＡ機器から返答がない場合（ステップ１０１；Ｙ）、または居室の輝度センサーが消灯レベルの場合（ステップ１０２；Ｙ）、ステップ９３に進み処理を続行する。
さらに、消灯された居室の空調管理装置１０６からの空調停止信号がない場合（ステップ９８；Ｎ）、居室のＯＡ機器から空調停止信号がないとき（ステップ１０３；Ｙ）、居室の温度センサーが運転レベルのとき（ステップ１０４；Ｙ）、ステップ９９に進み、警告信号を送信する。なお、省エネモードの場合にも、上記、空調の運転状態を確認する処理を実施する。
また、居室の消灯確認は、居室の照明管理装置１０７からの消灯信号以外に居室のＯＡ機器に備えられた光検知センサーまたは照明の点灯状態を検知するために居室内に備えられた輝度センサーからの消灯信号で行ってもよい。
また、空調の運転停止も同じであり、居室のＯＡ機器に備えられた温度センサーまたは、空調の運転状態を検知するために居室内に備えられた温度センサーからの信号で判断してもよい。
【００６９】
次に、図１５のフローチャートを参照して、居室等の空調の運転状態を確認し、ＯＡ機器及び照明装置を消費電力削減モードに移行する処理手順を説明する。
尚、会議室、フロア、ホール等のＯＡ機器の動作状況を確認して行う、照明の消灯動作、空調の停止動作もこの処理と同様なので説明は省略する。
まず初めに、平日か否かの確認を行う（ステップ１１０）。平日でない場合は（ステップ１１０；Ｎ）、処理を終了する。一方、平日の場合には（ステップ１１０；Ｙ）、予め設定した時刻、この例の場合は勤務時間（１８時）を過ぎた時刻か否かの確認を行う（ステップ１１１）。勤務時間内の場合には（ステップ１１１；Ｎ）、処理を終了する。勤務時間を過ぎた時間の場合には（ステップ１１１；Ｙ）、各空調装置に対して、運転状況監視、運転スケジュール管理、温度管理の機能を有している、居室の空調管理装置１０６から、空調停止信号の送信があったか否かを確認する（ステップ１１２）。
【００７０】
その結果、空調停止信号の送信があった場合には（ステップ１１２；Ｙ）、居室のＯＡ機器にＰｉｎｇコマンドを送信し（ステップ１１３）、このコマンドに対応した返答が各ＯＡ機器からあったか否か確認する（ステップ１１４）。返答があった場合は（ステップ１１４；Ｙ）、このＯＡ機器が、省エネモード状態か否かを確認する（ステップ１１５）。
そして、省エネモードでない場合は（ステップ１１５；Ｙ）、省エネモードでないＯＡ機器に電源をＯＦＦする警告信号を送信する（ステップ１１６）。
【００７１】
次に、省エネモードでないＯＡ機器に省エネモードまたは主電源をＯＦＦする信号を送信する（ステップ１１７）。この省エネモード信号を出力するＯＡ機器は、ＦＡＸ機能等を備えた複合機の画像形成装置等である。
そして、空調が停止された居室の照明管理装置１０７から消灯信号が出力されたか否かを確認する（ステップ１１８）。消灯信号が出力されてない場合には（ステップ１１８；Ｙ）、照明管理装置１０７に照明を消灯する警告信号を送信する（ステップ１１９）。次に、照明管理装置１０７に照明を消灯する信号を送信し（ステップ１２０）、処理を終了する。
また、居室の空調管理装置１０６から運転停止信号がない場合で（ステップ１１２；Ｎ）、居室のＯＡ機器から空調停止信号があるとき（ステップ１２１；Ｙ）、及び居室の温度センサーが空調停止レベルのとき（ステップ１２２；Ｙ）、ステップ１１３に進み、処理を続行する。
さらに、照明管理装置１０７から消灯信号がある場合で（ステップ１１８；Ｎ）居室のＯＡ機器から照明消灯信号がないとき（ステップ１２３；Ｙ）、及び居室の輝度センサーが照明点灯レベルのとき（ステップ１２４；Ｙ）、ステップ１１９に進み、処理を続行する。
【００７２】
居室の空調が停止された状態で、各ＯＡ機器から返答がない場合、または省エネモードの場合にも、上記照明の点灯状態を確認する処理を実施する。また、居室の空調の運転状態は、居室の空調管理装置１０６からの運転信号以外に、居室のＯＡ機器に備えられた温度サンサーまたは、居室の温度を検知するために居室内に備えられた温度センサーからの温度信号でも良い。
また、照明の消灯検知も同じであり、居室のＯＡ機器に備えられた光検知サンサーまたは、居室の明るさを検知するために居室内に備えられた輝度センサーからの信号でも良い。
【００７３】
次に、図１６のフローチャートを参照して、休日及び祭日のＯＡ機器及び設備装置の稼動状況を確認し、無駄な電力を削減する場合の処理手順を説明する。
尚、会議室、フロア、ホール等のＯＡ機器の動作状況を確認して行う、照明の消灯動作、空調の停止動作もこの処理と同様なので説明は省略する。
まず初めに、休日または祭日か否かの確認を行う（ステップ１３０）。休日または祭日でない場合は（ステップ１３０；Ｎ）、処理を終了する。一方、休日または祭日の場合には（ステップ１３０；Ｙ）、居室内に備えられた輝度センサーの出力が消灯レベルか否かを確認する（ステップ１３１）。
その結果、消灯レベルの場合には（ステップ１３１；Ｙ）、居室のＯＡ機器にＰｉｎｇコマンド送信し（ステップ１３２）、このコマンドに対応した返答が各ＯＡ機器からあったか否かを確認する（ステップ１３３）。
【００７４】
そして、返答があった場合には（ステップ１３３；Ｙ）、このＯＡ機器が、省エネモード状態か否かを確認する（ステップ１３４）。省エネモードでない場合は（ステップ１３４；Ｙ）、省エネモードでないＯＡ機器に電源をＯＦＦする警告信号を送信する（ステップ１３５）。次に、省エネモードでないＯＡ機器に省エネモードまたは主電源をＯＦＦする信号を送信する（ステップ１３６）。この省エネモード信号を出力するＯＡ機器は、ＦＡＸ機能等を備えた複合機の画像形成装置等である。
【００７５】
次に、空調の運転状態を確認するため、消灯された居室の空調管理装置１０６から空調停止信号が出力されていたか否かを確認する（ステップ１３７）。空調停止信号が出力されてない場合には（ステップ１３７；Ｙ）、空調管理装置１０６に空調を停止する警告信号を送信する（ステップ１３８）。次に、運転中の空調装置を停止する信号または予め設定された温度（電力削減できる制御温度）にする信号を空調管理装置１０６に送信し（ステップ１３９）、処理を終了する。
また、居室の照明が消灯された状態で、各ＯＡ機器から返答がない場合、または省エネモードの場合にも、空調の運転状態を確認する処理を実施する。
居室の照明が消灯レベルでない場合は（ステップ１３１；Ｎ）、空調が運転状態か否かを確認する（ステップ１４０）。その結果、運転状態にある場合は（ステップ１４０；Ｙ）、休日または祭日出勤者がいると判断して処理を終了する。
一方、空調が停止状態にある場合は（ステップ１４０；Ｎ）、居室のＯＡ機器にＰｉｎｇコマンドを送信し（ステップ１４１）、このコマンドに対応した返答が各ＯＡ機器からあるか否か確認する（ステップ１４２）。
【００７６】
その結果、返答があった場合は（ステップ１４２；Ｙ）、このＯＡ機器が省エネモード状態か確認する（ステップ１４３）。省エネモードでない場合は（ステップ１４３；Ｙ）、処理を終了する。
居室の照明が点灯された状態で（ステップ１３１；Ｎ）、空調が停止され（ステップ１４０；Ｎ）、且つＯＡ機器から返答がない場合（ステップ１４２；Ｎ）、または省エネモードの場合には（ステップ１４３；Ｎ）、照明管理装置１０７に照明を消灯する警告信号を送信する（ステップ１４４）。次に、照明管理装置１０７に照明を消灯する信号を送信し（ステップ１４５）、処理を終了する。
本実施例によれば、ビル、フロア、または居室等に備えられたＯＡ機器及び設備装置全体の消費電力削減を効率良く可能とした電力監視制御装置を提供できる。
【図面の簡単な説明】
【００７７】
【図１】本実施例に係る社内ＬＡＮを使用した電力監視ネットワークシステムの例を示した図である。
【図２】画像形成装置の代表的な回路構成図である。
【図３】パソコンの代表的な回路構成図である。
【図４】照明管理装置の構成図である。
【図５】空調管理装置の構成図である。
【図６】主電源をＯＡ機器の制御部が、自らＯＦＦする制御回路の例を示した図である。
【図７】照明管理装置が、居室等のＯＡ機器の電力削減モードまたは空調停止を検知すると、自ら照明を消灯する処理の手順を示したフローチャートである。
【図８】空調管理装置がＯＡ機器の電力削減モードまたは照明の消灯を検知すると、自ら空調の運転を停止する処理手順を示したフローチャートである。
【図９】ＯＡ機器は空調管理装置の運転停止または照明管理装置の照明の消灯を検知すると、自ら省エネモードまたは主電源ＯＦＦモードに移行する処理手順を示したフローチャートである。
【図１０】第２の実施例に係る社内ＬＡＮを使用した電力監視ネットワークシステムの例を示した図である。
【図１１】第２の実施例に係る社内ＬＡＮを使用した電力監視ネットワークシステムの例を示した図である。
【図１２】照明管理装置の構成図である。
【図１３】居室のＯＡ機器の稼動状態を確認し、照明装置及び空調装置を消費電力削減モードに移行する処理手順を示したフローチャートである。
【図１４】居室等の照明の消灯状態を確認し、ＯＡ機器及び空調装置を消費電力削減モードに移行する処理手順を示したフローチャートである。
【図１５】居室等の空調の運転状態を確認し、ＯＡ機器及び照明装置を消費電力削減モードに移行する処理手順を示したフローチャートである。
【図１６】休日及び祭日のＯＡ機器及び設備装置の稼動状況を確認し、無駄な電力を削減する場合の処理手順を示したフローチャートである。
【符号の説明】
【００７８】
１００  電力監視制御装置
１０２  温度センサー
１０３  パソコン
１０４  パソコン
１０６  空調管理装置
１０７  照明管理装置
１０８  入退出管理装置
１０９  温度センサー
１１０  光検知センサー
１１１  輝度センサー
５０１  コントローラーボード
５０２  操作部制御ボード
５０３  ＨＤＤ
５０４  ワークメモリー
５０５  ＬＡＮインターフェースボード
５０６  ＦＣＵ
５０７  フレームメモリー
５０９  ＡＤＦセンサー
５１２  制御用ボード
５１９  制御回路
５２２  圧板センサー
【図１】
2007221942.tif 000003
【図２】
2007221942.tif 000004
【図３】
2007221942.tif 000005
【図４】
2007221942.tif 000006
【図５】
2007221942.tif 000007
【図６】
2007221942.tif 000008
【図７】
2007221942.tif 000009
【図８】
2007221942.tif 000010
【図９】
2007221942.tif 000011
【図１０】
2007221942.tif 000012
【図１１】
2007221942.tif 000013
【図１２】
2007221942.tif 000014
【図１３】
2007221942.tif 000015
【図１４】
2007221942.tif 000016
【図１５】
2007221942.tif 000017
【図１６】
2007221942.tif 000018